Podtech/llm-jp-corpus-v4-ja_patent huggingface dataset:
【手続補正書】
【提出日】平成20年6月26日(2008.6.26)
【手続補正１】
【補正対象書類名】特許請求の範囲
【補正対象項目名】全文
【補正方法】変更
【補正の内容】
【特許請求の範囲】
【請求項１】
内視鏡の先端の撮像装置のための照明装置であって、
内視鏡の先端と関連する照明キャリアと、
複数のマイクロＬＥＤとを含み、各マイクロＬＥＤが、そこから照射が行われ、５００μｍ未満の最大横方向拡張を有する主表面を有し、かつ電気励起によって、内視鏡の先端の環境の少なくともいくつかの部分を照明するように、照明キャリア上に配列される、照明装置。
【請求項２】
複数のマイクロＬＥＤが、アレイとしてまたはライン形状で照明キャリアの外側領域上に配列される、請求項１に記載の照明装置。
【請求項３】
照明キャリアが、少なくとも１０のマイクロＬＥＤを含む、請求項１に記載の照明装置。
【請求項４】
マイクロＬＥＤが、各々、照射が行われる、３００μｍ未満、１００μｍ未満、または１０μｍ未満の最大横方向拡張を有する主表面を含む、請求項１に記載の照明装置。
【請求項５】
マイクロＬＥＤの主表面の面積が０．０１ｍｍ2以下である、請求項４に記載の照明装置。
【請求項６】
照明キャリアが、内視鏡の先端で機械的に接続可能である、請求項１に記載の照明装置。
【請求項７】
照明キャリアが、シフト可能にかつ／または回転可能に内視鏡の先端に配設される、請求項１に記載の照明装置。
【請求項８】
照明キャリアが、内視鏡の先端の一部により形成される、請求項１に記載の照明装置。
【請求項９】
マイクロＬＥＤの第１のグループとマイクロＬＥＤの第２のグループが、照明キャリアの表面上に配列され、マイクロＬＥＤの第１のグループが、第１の主照射方向を有し、かつマイクロＬＥＤの第２のグループが、第２の主照射方向を有し、第１および第２の主照射方向が、照明キャリアの表面領域に対して角度αだけ異なり、α≠０である、請求項１に記載の照明装置。
【請求項１０】
第１の主照射方向または第２の主照射方向が、内視鏡の先端の撮像装置の光軸から角度γだけ異なり、０≦γ≦１６０°である、請求項９に記載の照明装置。
【請求項１１】
マイクロＬＥＤの少なくとも一部が各々マイクロレンズを備える、請求項１に記載の照明装置。
【請求項１２】
マイクロＬＥＤの少なくとも一部が散光器を備える、請求項１に記載の照明装置。
【請求項１３】
照明キャリアが、マイクロＬＥＤを保護するための化合物を含む、請求項１に記載の照明装置。
【請求項１４】
化合物が散光器を構成する、請求項１３に記載の照明装置。
【請求項１５】
照明キャリアが、透明のガラスまたは半透明のプラスチックを含む、請求項１に記載の照明装置。
【請求項１６】
マイクロＬＥＤが、キャリア箔により照明キャリア上に配列される、請求項１に記載の照明装置。
【請求項１７】
キャリア箔が、マイクロＬＥＤに接触するための導電トレースを含む、請求項１６に記載の照明装置。
【請求項１８】
導電トレースが透明に形成される、請求項１７に記載の照明装置。
【請求項１９】
マイクロＬＥＤの少なくとも一部が、パルス化態様で制御可能である、請求項１に記載の照明装置。
【請求項２０】
マイクロＬＥＤの少なくとも一部が、相互に別々に制御可能である、請求項１に記載の照明装置。
【請求項２１】
異なるマイクロＬＥＤが、異なる波長で光を発する、請求項１に記載の照明装置。
【請求項２２】
照明キャリアが、照明領域と支持領域の間に配設された開口領域を有し、マイクロＬＥＤが、照明領域に配列され、かつ支持領域が、内視鏡の先端に配設され、それにより内視鏡の先端の環境の光学画像を開口領域を介して検知できるようになっている、請求項１に記載の照明装置。
【請求項２３】
撮像装置が、先端に対物レンズを有する光学素子を備える、請求項１に記載の照明装置。
【請求項２４】
撮像装置が、全周検知のため先端に全周後方観察の光学素子を備える、請求項２３に記載の照明装置。
【請求項２５】
撮像装置がＣＣＤカメラを含む、請求項１に記載の照明装置。
【請求項２６】
内視鏡先端にある撮像装置用照明装置を操作するための方法であって、
照明装置が、マイクロＬＥＤのアレイを先端に備える照明キャリアを備え、マイクロＬＥＤが各々そこから照射を行いかつ５００μｍ未満の最大横方向拡張を有する主表面を有し、この方法が、
マイクロＬＥＤの電気励起によって内視鏡の先端の環境の少なくとも一部を照明するステップを含む、方法。
【請求項２７】
マイクロＬＥＤの少なくとも一部をパルスで制御するステップを含む、請求項２６に記載の方法。
【請求項２８】
マイクロＬＥＤの少なくとも一部を別々に制御するステップを含む、請求項２６に記載の方法。
【請求項２９】
照明キャリアをシフトさせて、先端の環境の照明を変化させるステップをさらに含む、請求項２６に記載の方法。
【請求項３０】
内視鏡先端の撮像装置用照明装置を製造する方法であって、
キャリア箔上にマイクロＬＥＤのアレイを設けるステップを備え、マイクロＬＥＤが各々、そこから照射を行う、最大横方向拡張が５００μｍ未満である主表面を有し、さらに、
内視鏡の先端と関連して、マイクロＬＥＤの電気励起によって、内視鏡の先端の環境の少なくともいくつかの部分を照明することができる照明キャリアの上にキャリア箔を配設するステップとを含む、方法。
【請求項３１】
マイクロＬＥＤのアレイが、照明キャリアの表面領域上に、照明キャリアの表面領域に対して相違する第１および第２の照射方向を有するマイクロＬＥＤの第１及び第２の隣接するグループを含むように、キャリア箔が配設される、請求項３０に記載の方法。
【手続補正２】
【補正対象書類名】明細書
【補正対象項目名】発明の名称
【補正方法】変更
【補正の内容】
【発明の名称】内視鏡先端の撮像手段用照明装置ならびに照明装置の操作方法および製造方法
【手続補正３】
【補正対象書類名】明細書
【補正対象項目名】００１５
【補正方法】変更
【補正の内容】
【００１５】
この目的は、請求項１に記載の装置ならびに請求項２６および請求項３０に記載の方法により解決される。
【手続補正書】
【提出日】平成20年9月16日(2008.9.16)
【手続補正１】
【補正対象書類名】明細書
【補正対象項目名】０００３
【補正方法】変更
【補正の内容】
【０００３】
しかしながら、電力の供給が停止されると、ボックス内の温度は急激に低下する。そのため、ボックス内の相対的湿度が急激に上昇し、ボックス内の電気機器や電子機器に結露が生じたり、絶縁不良や漏電が生じたりすることがある。この傾向は、温度変化が激しい、屋外に設置されるボックスにおいて特に顕著であった。気象庁の観測記録では、１時間で約２０℃、昼夜で約２２℃温度低下した事例もあり、屋外に設置されるボックスは、外部環境の変化により急激な温度変化に晒されることがある。従って、従来、上述の問題を解決するために、ボックス内に調湿材を設置し、急激な相対湿度の変化を抑える試みがなされている。
【手続補正書】
【提出日】平成20年2月15日(2008.2.15)
【手続補正１】
【補正対象書類名】特許請求の範囲
【補正対象項目名】請求項３
【補正方法】変更
【補正の内容】
【請求項３】
前記容器部分が、可撓性壁のバブル状部分を有してなる請求項１または２記載の単回使用注射器。
【手続補正２】
【補正対象書類名】明細書
【補正対象項目名】０００９
【補正方法】変更
【補正の内容】
【０００９】
次に、単回使用（使い捨てタイプ）注射器の組立および使用について、特に図８〜１２および図１を参照しながら説明する。組み立てた注射器の１例を図１に示してある。この注射器は、医薬品などの流体を入れるための可撓性壁のバブル（２）を有する。図１では、バブル状部分（２）は針部分（３）に取り付けられた状態となっている。針部分（３）は、弁部分（４）および中空針（４ａ）を有する。中空針（４ａ）は、針収納部（３５）で弁部分（４）に装着されている。中空針（４ａ）は、手術用ステンレスなどの硬い金属製であることが好ましい。弁部分（４）は好ましくは、剛性プラスチック材料を成形したものである。針部分（３）はさらに、上部針（２６）を有するものであるが、その機能については後述する。弁部分（４）は好ましくは、２個の半身の形で成形し、その中に一方向弁（４０）および針（４ａおよび２６）を収納するようにする。それから、これらの２個の部分を融合させる。
【手続補正３】
【補正対象書類名】明細書
【補正対象項目名】００１４
【補正方法】変更
【補正の内容】
【００１４】
図１および１０に示したバブル状部分（２）は可撓性の（フレキシブルな）壁のバブルであり、好ましくは可撓性プラスチック材料（４５）製である。バブル材料（４５）は好ましくは透明であり、注射器使用者が内部の流体を見て、肉眼で観察できる汚染物のチエックを行うことができるようにする。
【手続補正４】
【補正対象書類名】明細書
【補正対象項目名】００２５
【補正方法】変更
【補正の内容】
【００２５】
弁部分（４）の受け枠（３２）には、その周縁部に複数の溝（２７）が設けられている。溝（２７）はほぼＬ字形であり、垂直部と水平部（２７ａ）を有する。各溝（２７）は可撓性リップ（吐出片）（２８）を有する。そのリップの機能について以下に説明する。
【手続補正５】
【補正対象書類名】明細書
【補正対象項目名】００２７
【補正方法】変更
【補正の内容】
【００２７】
本機器を組み立てるには、使用者が弁部分（４）の受け枠（３２）上にバブル基部（３１）を載せて、一方の部分または両方の部分を回して、各突起（３０）を溝（２７）のところに配列させる。次にこの２つの部分を押し合わせて、突起を溝（２７）の基部付近まで押し込む。その箇所に達するには、使用者は、突起（３０）を可撓性リップ（２８）を通過させ、その後リップは元の位置に跳ね返って戻る。可撓性リップ（２８）により、突起（３０）は溝（２７）内に入るが、溝からは出ない。リップ（２８）は図１１の透視図に示したような方向（２８ｂ）に曲がっている。図１１からわかるように、受け部（２８ａ）により、リップ（２８）が上方に旋回するのが防止される。バブルを本機器の針部分に取り付けた後には外すことはできない。バブルに針が貫通したら再充填できないことから、これによって本機器は１回のみ使用できるようになる。
【手続補正６】
【補正対象書類名】明細書
【補正対象項目名】００３１
【補正方法】変更
【補正の内容】
【００３１】
この場合、ねじ山の開始点で、弁部分の受け枠（３２）の内側に弾力性の可撓性リップ（不図示）を設ける。リップは挿入およびバブル基部（３１）へのねじ込み時に圧迫され、両部分の連結が完了した後に跳ね戻って、バブル状部分を噛み合わせ、それによって機器の分離を防止もしくは阻止する。図１でわかる通り、バブル状部分（２）は、その側部に補強が施してあって、連結プロセスをさらに支持するようになっている。
【手続補正７】
【補正対象書類名】明細書
【補正対象項目名】００４３
【補正方法】変更
【補正の内容】
【００４３】
別法として、針部分とバブル状部分とを単に可撓性プラスチック包装に入れて提供しても良い。さらに、剛性輪郭包装に、充填物および／または注射に先だって注射部位を拭くための消毒用手術用アルコールを含浸させたものを入れることもできる。
【手続補正８】
【補正対象書類名】明細書
【補正対象項目名】００４４
【補正方法】変更
【補正の内容】
【００４４】
【図１】組み立てた単回使用注射器の側面図である。
【図２】単回使用注射器の運搬用ケースの斜視図である。
【図３】図２の運搬用ケースのＡ一Ａ線での断面図である。
【図４】図２の運搬用ケースの平面図である。
【図５】中空状包装に収納されたバブル状部分の平面図および側面図である。
【図６】中空状包装に収納された針部分の平面図および側而図である。
【図７】図５および６の包装を用いたバブル状部分と針部分の組立を示す模式図である。
【図８】針部分の平面図である。
【図９】図８の針部分の斜視図である。
【図１０】図８および９に示した針部分とともに使用するバブル状部分の底の底面図である。
【図１１】図９からのＡ部分の拡大図である。
【図１２】注射器の弁部分の断面図である。
【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
遊技領域が区画形成された遊技盤と、操作ハンドルの操作に応じて前記遊技領域内に遊技球を発射する球発射手段と、前記遊技領域内に植設されて遊技球の流下方向を変化させる障害部材と、を備えた遊技機であって、
前記遊技領域内に配置されると共に該遊技領域を流下する遊技球の受け入れが不可能な第１状態と遊技球の受け入れが可能な第２状態との間で移行可能な可変入賞装置と、
該可変入賞装置に入賞した遊技球を検出する第１の入賞球検出手段と、
該可変入賞装置とは異なり、前記遊技領域内に配置されて遊技球を１個ずつ受け入れ可能な一般入賞口と、
該一般入賞口に入賞した遊技球を検出する第２の入賞球検出手段と、
前記第１の入賞球検出手段及び前記第２の入賞球検出手段による遊技球の検出に応じて賞球を払い出す球払出手段と、
所定の判定条件が成立したことに基づいて遊技者に利益を付与すべきか否かの判定を行う当落判定手段と、を備え、
前記当落判定手段は、
特定の遊技状態に制御し、遊技者に特定の利益を付与することを判定する第１の当落判定手段と、
該第１の当落判定手段とは異なり、遊技状態を変化させることなく、遊技者に所定の利益を付与可能に制御することを判定する第２の当落判定手段と、からなり、
前記可変入賞装置の前記第１状態から前記第２状態への移行に際して、１個程度の遊技球が辛うじて入賞できるだけの態様である第１の特別動作を１回以上行うように制御する所定利益付与制御手段と、
前記第２の当落判定手段により前記所定の利益を付与可能に制御することが決定された場合には、前記所定利益付与制御手段により前記可変入賞装置を制御することで前記所定の利益を付与可能にする所定利益付与手段と、
前記可変入賞装置の前記第１状態から前記第２状態への移行に際して、前記第１の特別動作よりも多くの遊技球が入賞しうる態様である第２の特別動作を複数回行うことで前記特定の利益を付与可能にする特定利益付与制御手段と、
前記第１の当落判定手段により前記特定の利益を付与可能に制御することが決定された場合には、前記特定利益付与制御手段により前記可変入賞装置を制御することで前記特定の利益を付与可能にする特定利益付与手段と、
をさらに備え、
前記特定利益付与手段は、前記可変入賞装置の前記第１状態から前記第２状態への移行を、前記第１の特別動作と同一又は近似した態様で行う特定利益当選動作制御手段を含み、
前記特定利益付与制御手段又は前記所定利益付与制御手段による前記可変入賞装置の前記第１状態から前記第２状態への移行に際しては、前記第１の当落判定手段及び前記第２の当落判定手段のうちいずれの判定手段により決定されたかを遊技者に不明朗にしつつも、
前記特定利益当選動作制御手段による前記可変入賞装置の前記第１状態から前記第２状態への移行の動作回数に基づき、前記第１の当落判定手段及び前記第２の当落判定手段のうちいずれの判定手段により決定されたかを想起しうるようにした
ことを特徴とする遊技機。
【手続補正２】
【補正対象書類名】明細書
【補正対象項目名】０００４
【補正方法】変更
【補正の内容】
【０００４】
（解決手段１）
上記目的を達成するために、本発明の遊技機は、遊技領域が区画形成された遊技盤と、操作ハンドルの操作に応じて前記遊技領域内に遊技球を発射する球発射手段と、前記遊技領域内に植設されて遊技球の流下方向を変化させる障害部材と、を備えた遊技機であって、前記遊技領域内に配置されると共に該遊技領域を流下する遊技球の受け入れが不可能な第１状態と遊技球の受け入れが可能な第２状態との間で移行可能な可変入賞装置と、該可変入賞装置に入賞した遊技球を検出する第１の入賞球検出手段と、該可変入賞装置とは異なり、前記遊技領域内に配置されて遊技球を１個ずつ受け入れ可能な一般入賞口と、該一般入賞口に入賞した遊技球を検出する第２の入賞球検出手段と、前記第１の入賞球検出手段及び前記第２の入賞球検出手段による遊技球の検出に応じて賞球を払い出す球払出手段と、所定の判定条件が成立したことに基づいて遊技者に利益を付与すべきか否かの判定を行う当落判定手段と、を備え、前記当落判定手段は、特定の遊技状態に制御し、遊技者に特定の利益を付与することを判定する第１の当落判定手段と、該第１の当落判定手段とは異なり、遊技状態を変化させることなく、遊技者に所定の利益を付与可能に制御することを判定する第２の当落判定手段と、からなり、前記可変入賞装置の前記第１状態から前記第２状態への移行に際して、１個程度の遊技球が辛うじて入賞できるだけの態様である第１の特別動作を１回以上行うように制御する所定利益付与制御手段と、前記第２の当落判定手段により前記所定の利益を付与可能に制御することが決定された場合には、前記所定利益付与制御手段により前記可変入賞装置を制御することで前記所定の利益を付与可能にする所定利益付与手段と、前記可変入賞装置の前記第１状態から前記第２状態への移行に際して、前記第１の特別動作よりも多くの遊技球が入賞しうる態様である第２の特別動作を複数回行うことで前記特定の利益を付与可能にする特定利益付与制御手段と、前記第１の当落判定手段により前記特定の利益を付与可能に制御することが決定された場合には、前記特定利益付与制御手段により前記可変入賞装置を制御することで前記特定の利益を付与可能にする特定利益付与手段と、をさらに備え、前記特定利益付与手段は、前記可変入賞装置の前記第１状態から前記第２状態への移行を、前記第１の特別動作と同一又は近似した態様で行う特定利益当選動作制御手段を含み、前記特定利益付与制御手段又は前記所定利益付与制御手段による前記可変入賞装置の前記第１状態から前記第２状態への移行に際しては、前記第１の当落判定手段及び前記第２の当落判定手段のうちいずれの判定手段により決定されたかを遊技者に不明朗にしつつも、前記特定利益当選動作制御手段による前記可変入賞装置の前記第１状態から前記第２状態への移行の動作回数に基づき、前記第１の当落判定手段及び前記第２の当落判定手段のうちいずれの判定手段により決定されたかを想起しうるようにしたことを特徴とする。
この場合、可変入賞装置が一旦特別動作を開始しても、その時点では当該特別動作が特
定の遊技状態の制御に基づいて実行されたものであるか（通常の遊技状態の制御に基づい
て実行されたものであるか）否かが分からない。このため、遊技者に対して、可変入賞装
置の特別動作が繰り返し行われることの喜びや、最大回数まで継続することなく途中で可
変入賞装置の特別動作が終了してしまうことに対しての緊張感を与えることができ、結果
として可変入賞装置の特別動作に対する興趣を低減することがない。なお、可変入賞装置
の特別動作が繰り返し行われることの喜びは、特定利益付与制御手段の制御に基づいて所
定利益付与制御手段では行われない特別動作が行われた時点で、特別遊技状態に制御する
旨が確定したことを遊技者が認識できる喜びである。
【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
圧電カンチレバー圧力センサ（１００）であって、
基板（１２０）と、
前記基板の１端に装着され、キャビティ（１３０）上に伸びる長い圧電カンチレバー（１５０）
とを備え、
前記圧電カンチレバー（１５０）は、
第１の電極（１０８）と、
第２の電極（１０４）と、
前記第１の電極と前記第２の電極の間で、それらの電極に電気的に接続された圧電素子（１０６）
とを備える、圧電カンチレバー圧力センサ（１００）。
【請求項２】
前記圧電カンチレバーに電気的に接続されたアクセストランジスタ（１６０）をさらに備える、請求項１に記載の圧電カンチレバー圧力センサ。
【請求項３】
前記アクセストランジスタは、ソース接点（１６５）、ゲート接点（１６１）、ドレーン接点（１６３）を備え、
前記ドレーン接点は、前記第１の電極に接続され、
前記ソース接点は、基準電圧を受け取るように接続され、
前記ゲート接点は、作動信号を受け取るように接続される、請求項２に記載の圧電カンチレバー圧力センサ。
【請求項４】
前記圧電カンチレバーはさらに、前記圧電素子と前記基板の間に弾性素子（１１０）を備える、請求項１に記載の圧電カンチレバー圧力センサ。
【請求項５】
前記弾性素子は、シリコンと窒化珪素のうちの１つを含む、請求項４に記載の圧電カンチレバー圧力センサ。
【請求項６】
前記基板は、前記圧電カンチレバーが配置される上面を有し、前記キャビティは、前記弾性素子と前記基板の上面の間に配置される、請求項４に記載の圧電カンチレバー圧力センサ。
【請求項７】
前記圧電素子は、ＰＺＴ、ＰＭＮ−ＰＺＴ、ＰＺＮ−ＰＺＴ、ＡｌＮ、ＺｎＯのうちの１つを含む、請求項１に記載の圧電カンチレバー圧力センサ。
【請求項８】
前記第１の電極と前記第２の電極のうちの少なくとも１つは、金と、銀と、プラチナと、パラジウムと、銅と、アルミニウムと、これらの合金とのうちの１つを含む、請求項１に記載の圧電カンチレバー圧力センサ。
【請求項９】
前記圧電素子（１０６）は、第１の圧電素子であり、
前記圧電カンチレバーは、さらに、
第３の電極（１１２）と、
前記第２の電極と前記第３の電極の間で、これらの電極に電気的に接続された第２の圧電素子（１０７）
とを備えることからなる、請求項１に記載の圧電カンチレバー圧力センサ。
【請求項１０】
前記基板はガラスを含む、請求項１に記載の圧電カンチレバー圧力センサ。
【手続補正書】
【提出日】平成20年11月5日(2008.11.5)
【手続補正１】
【補正対象書類名】明細書
【補正対象項目名】０００２
【補正方法】変更
【補正の内容】
【０００２】
電子デバイスに試験パターンを入力し、この試験パターンに対する電子デバイスの出力信号列と、この電子デバイスから出力されることが期待される期待値信号列とを比較することにより、電子デバイスを試験する試験装置が用いられている。
ビット誤り測定器に関しては、以下の文献が開示されている。
【特許文献１】特開平７−２２５２６３号公報
【特許文献２】特開平８−２３３９１１号公報
【特許文献３】特開平１１−３４６２０７号公報
【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
樹脂供給手段から計量、吐出される樹脂をバックアップロール上を走行する離型フィルムに塗布する強化繊維プリプレグ製造用樹脂フィルムを製造する方法において、離型フィルムが減圧吸引把持手段上を走行することを特徴とする、強化繊維プリプレグ製造用樹脂フィルムの製造方法。
【請求項２】
コーティングロール上に計量された樹脂が転写によりバックアップロール上を走行する離型フィルムに塗布される強化繊維プリプレグ製造用樹脂フィルムを製造する方法において、離型フィルムが減圧吸引把持手段上を走行し、かつ、コーティングロール速度Ｃ、離型フィルム速度Ｆが次の関係にある強化繊維プリプレグ製造用樹脂フィルムの製造方法。
Ｃ／Ｆ≧１．０          ・・・・（１）
【請求項３】
前記バックアップロール速度Ｂと離型フィルム速度Ｆが次の関係にある、請求項１もしくは２に記載の強化繊維プリプレグ製造用樹脂フィルムの製造方法。
０．９≦Ｆ／Ｂ≦１．１  ・・・・（２）
【請求項４】
離型フィルムに樹脂を塗布した後、前記減圧吸着把持手段で把持して巻取機で連続的にロール状に巻き取る、請求項１〜３のいずれかに記載の強化繊維プリプレグ製造用樹脂フィルムの製造方法。
【請求項５】
離型フィルムが、複数の吸引口を有する駆動ロールもしくは駆動ベルトからなる減圧吸着把持手段に把持される、請求項１〜４のいずれかに記載の強化繊維プリプレグ製造用樹脂フィルムの製造方法。
【請求項６】
前記減圧吸着把持手段速度Ｓと離型フィルム速度Ｆが次の関係にある、請求項１〜５のいずれかに記載の強化繊維プリプレグ製造用樹脂フィルムの製造方法。
０．９≦Ｆ／Ｓ≦１．０・・・・（３）
【請求項７】
前記樹脂が離型フィルムに塗布される際に、離型フィルムを加熱する、請求項１〜６のいずれかに記載の強化繊維プリプレグ製造用樹脂フィルムの製造方法。
【請求項８】
請求項１〜７のいずれかの方法で製造された強化繊維プリプレグ製造用樹脂フィルムを用いて製造する、強化繊維プリプレグの製造方法。
【請求項９】
バックアップロールを備えたコーターからなる強化繊維プリプレグ製造用樹脂フィルム製造装置において、コーターで樹脂を塗布される、もしくは塗布された、走行する離型フィルムを減圧吸引把持する手段を設けた強化繊維プリプレグ製造用樹脂フィルム製造装置。
【請求項１０】
前記減圧吸着把持手段が、複数の吸引口を有する駆動ロールもしくは駆動ベルトからなる、請求項９に記載の強化繊維プリプレグ製造用樹脂フィルム製造装置。
【請求項１１】
前記バックアップロールおよび／もしくはバックアップロール近傍に加熱手段を設けた、請求項９または１０に記載の強化繊維プリプレグ製造用樹脂フィルム製造装置。
【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
複数の断層面をスキャンする探触子と、該探触子によるスキャンによって得られたデータに基づき前記断層面毎に断層像を構成する断層像構成部と、前記探触子によるスキャンによって得られたデータに基づき前記断層面毎に弾性画像を構成する弾性画像構成部と、前記各断層面毎に構成された弾性画像に前記弾性画像を得た断面情報を付加して表示する表示部と、を有することを特徴とする超音波診断装置。
【請求項２】
前記表示部に表示する画像を選択する画像選択部を有することを特徴とする請求項１に記載の超音波診断装置。
【請求項３】
前記表示部に表示する画像の表示枠を任意の大きさで形成する表示枠形成部を有することを特徴とする請求項１または２に記載の超音波診断装置。
【請求項４】
前記断層面に対応した前記探触子の圧迫方向を、前記表示部または前記探触子に表示することを特徴とする請求項１，２または３に記載の超音波診断装置。
【手続補正２】
【補正対象書類名】明細書
【補正対象項目名】０００６
【補正方法】変更
【補正の内容】
【０００６】
上記課題を解決するため、請求項１に記載の発明は、複数の断層面をスキャンする探触子と、該探触子によるスキャンによって得られたデータに基づき前記断層面毎に断層像を構成する断層像構成部と、前記探触子によるスキャンによって得られたデータに基づき前記断層面毎に弾性画像を構成する弾性画像構成部と、前記各断層面毎に構成された弾性画像に前記弾性画像を得た断面情報を付加して表示する表示部と、を有することを特徴とする。
【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
入出力用コネクタを有し、遊技機の遊技状態を制御する主基板と、
該主基板を覆うカバー体と、
該カバー体と密封部材により結合される台板と、を備え、
前記カバー体と該台板の結合により、前記カバー体内に前記主基板を密封し、
前記カバー体には前記入出力用コネクタに対応して形成される第１開口部を設け、
前記第１開口部を介して、ハーネスを有する接続用コネクタを、前記入出力用コネクタに挿脱させる基板収納ケースにおいて、
前記ハーネスを貫通させることができ、かつ前記接続用コネクタを通過させることができない大きさの第２開口部を備えたスペーサを、前記第１開口部に脱着可能となるように設け、
前記スペーサを前記第１開口部から取り外すことにより、前記入出力用コネクタから前記接続用コネクタが取り外し可能となることを特徴とする遊技機の基板収納ケース。
【請求項２】
前記第１開口部に設けられた前記スペーサの取り外しを、前記基板収納ケースの外部から行うことを防ぐ取り外し防止部を前記スペーサに備え、
前記密封部材を破損し密封を解除した後、前記台板と前記カバー体とを開封することにより、前記第１開口部からの前記スペーサの取り外しが可能となることを特徴とする請求項１に記載の遊技機の基板収納ケース。
【請求項３】
前記スペーサは、前記第１開口部から前記スペーサが取り外された状態において、前記スペーサの外部から前記第２開口部へ前記ハーネスを導くための通路を有することを特徴とする請求項１または２に記載の遊技機の基板収納ケース。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
複数の線源と、
前記線源により照射された物体の透過画像を撮影する撮影手段と、
前記透過画像に基づいて提示される立体画像を観察するための立体表示デバイスに応じた立体表示パラメータを設定する制御手段とを有し、
前記制御手段は、前記立体表示パラメータに応じた前記線源を選択すると共に、前記立体表示パラメータに応じて前記線源の位置を変更することを特徴とする撮影装置。
【請求項２】
立体視可能な画像を生成する立体画像生成装置であって、
線源により照射された物体の透過画像を撮影する撮影手段と、
前記立体視可能な画像を観察するための立体表示デバイスに応じた立体表示パラメータを設定する制御手段と、
前記立体表示パラメータに基づいて、前記撮影手段により撮影された第１の透過画像とは異なる第２の透過画像を生成する画像処理手段とを有し、
前記線源は複数設けられ、前記制御手段は前記立体表示パラメータに応じた前記線源を選択することを特徴とする立体画像生成装置。
【請求項３】
前記画像処理手段は、前記第１の透過画像とは異なる視点位置に対応する前記第２の透過画像を生成することを特徴とする請求項２に記載の立体画像生成装置。
【請求項４】
前記画像処理手段は、前記第１の透過画像の画素データに基づいて前記第２の透過画像を生成することを特徴とする請求項２又は３に記載の立体画像生成装置。
【請求項５】
前記画像処理手段は、前記第１の透過画像を左右反転処理することにより前記第２の透過画像を生成することを特徴とする請求項２から４のいずれか１つに記載の立体画像生成装置。
【請求項６】
前記制御手段は、前記立体表示パラメータに基づいて、前記線源の位置を変更することを特徴する請求項２から５のいずれか１つに記載の立体画像生成装置。
【請求項７】
立体視可能な画像を生成する立体画像生成装置であって、
線源により照射された物体の透過画像を撮影する撮影手段と、
前記立体視可能な画像を観察するための立体表示デバイスに応じた立体表示パラメータを設定する制御手段と、
前記立体表示パラメータに基づいて、前記撮影手段により撮影された第１の透過画像とは異なる第２の透過画像を生成する画像処理手段とを有し、
前記画像処理手段は、前記第１の透過画像を左右反転処理することにより前記第２の透過画像を生成することを特徴とする立体画像生成装置。
【手続補正２】
【補正対象書類名】明細書
【補正対象項目名】００１３
【補正方法】変更
【補正の内容】
【００１３】
本発明の１つの観点としての撮像装置は、複数の線源と、線源により照射された物体の透過画像を撮影する撮影手段と、透過画像に基づいて提示される立体画像を観察するための立体表示デバイスに応じた立体表示パラメータを設定する制御手段とを有し、制御手段は、立体表示パラメータに応じた線源を選択すると共に、立体表示パラメータに応じて線源の位置を変更することを特徴とする。
【手続補正３】
【補正対象書類名】明細書
【補正対象項目名】００１４
【補正方法】変更
【補正の内容】
【００１４】
また、本発明の他の観点としての立体画像生成装置は、立体視可能な画像を生成する立体画像生成装置であって、線源により照射された物体の透過画像を撮影する撮影手段と、立体視可能な画像を観察するための立体表示デバイスに応じた立体表示パラメータを設定する制御手段と、立体表示パラメータに基づいて撮影手段により撮影された第１の透過画像とは異なる第２の透過画像を生成する画像処理手段とを有し、線源は複数設けられ、制御手段は立体表示パラメータに応じた線源を選択することを特徴とする。
【手続補正４】
【補正対象書類名】明細書
【補正対象項目名】００１５
【補正方法】変更
【補正の内容】
【００１５】
本発明によれば、立体表示デバイスの立体表示パラメータに応じて線源の位置を変更した透過画像を取得するので、透過画像に基づいて提示される立体画像を立体表示デバイスを介して表示する際、透過画像特有の歪がなく、かつ提示された立体画像から得られる注目部位の大きさや位置関係の認識を実際の位置関係と同様に再現することを可能とすることができる。
【手続補正５】
【補正対象書類名】明細書
【補正対象項目名】０１２０
【補正方法】変更
【補正の内容】
【０１２０】
＜画像変換処理（ステップ４０６）＞
次に、ステップ４０４で撮影された多放射線源位置画像群に対して、ステップ４０２で設定された表示モード（及びステップ４０１で取得された立体表示パラメータ）に応じた画像（視点）変換処理を行う。
【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
利用者が液剤を吸入するための吸入装置に取り付け可能な液剤吐出カートリッジであって、
前記液剤を貯蔵する貯蔵手段と、前記液剤を吐出する吐出手段と、吸い口部と、前記吐出手段から吐出された液剤を前記吸い口部へと導くための流路とが一体となる様に構成されたことを特徴とする液剤吐出カートリッジ。
【請求項２】
前記貯蔵手段と前記吐出手段を含むヘッドカートリッジ、及び前記流路と前記吸い口部を含む吸入ピースが着脱可能となっている請求項１に記載の液剤吐出カートリッジ。
【請求項３】
前記吸入ピースが紙でできていて、折り畳み可能となっている請求項２に記載の液剤吐出カートリッジ。
【請求項４】
前記吐出手段は、インクジェットの方式により吐出を行う請求項１乃至３のいずれかに記載の液剤吐出カートリッジ。
【請求項５】
利用者が吸い口部から液剤を吸入するための吸入装置であって、前記液剤を貯蔵する貯蔵手段と、前記液剤を吐出する吐出手段と、前記吐出手段から吐出された液剤を前記吸い口部へと導くための流路と、前記吸い口部を有する液剤吐出カートリッジを一体のままの状態で着脱可能とする取り付け部を備えることを特徴とする吸入装置。
【請求項６】
前記吐出手段の吐出を制御する制御回路を備える請求項５に記載の吸入装置。
【手続補正２】
【補正対象書類名】明細書
【補正対象項目名】００１３
【補正方法】変更
【補正の内容】
【００１３】
上記課題に鑑み、本発明の吸入装置は、利用者が吸い口部から液剤を吸入するための吸入装置であって、液剤を貯蔵する貯蔵手段と、液剤を吐出する吐出手段と、吐出手段から吐出された液剤を吸い口部へと導くための流路と、吸い口部を有する液剤吐出カートリッジを一体のままの状態で着脱可能とする取り付け部を備えることを特徴とする。
【手続補正３】
【補正対象書類名】明細書
【補正対象項目名】００１４
【補正方法】変更
【補正の内容】
【００１４】
また、上記課題に鑑み、本発明の液剤吐出カートリッジは、利用者が液剤を吸入するための吸入装置に取り付け可能な液剤吐出カートリッジであって、液剤を貯蔵する貯蔵手段と、液剤を吐出する吐出手段と、吸い口部と、吐出手段から吐出された液剤を吸い口部へと導くための流路とが一体となる様に構成されたことを特徴とする。前記貯蔵手段と前記吐出手段を含むヘッドカートリッジ、及び前記流路と前記吸い口部を含む吸入ピースは着脱可能ともできる。
【手続補正４】
【補正対象書類名】明細書
【補正対象項目名】００１５
【補正方法】変更
【補正の内容】
【００１５】
上記した本発明によれば、ヘッドカートリッジが吸入ピースと一体となっているため簡単に吸入装置に対して着脱が可能である。そして、この様になっているので、使用後でもヘッドカートリッジと吸入ピースが一体になって簡単に着脱でき、一体のまま捨てられる等の処理もできるので、利用者の負担を軽減し、安心して利用できる吸入器を実現できる。
【手続補正５】
【補正対象書類名】明細書
【補正対象項目名】００１７
【補正方法】変更
【補正の内容】
【００１７】
図１は、マウスピース一体型のヘッドカートリッジ（液剤吐出カートリッジ）の本発明による一実施例の形態を示す断面図であり、図２は、このマウスピース一体型のヘッドカートリッジの形態を示す斜視図である。これらの図において、１０はマウスピース一体型ヘッドカートリッジ、１は吸入ピースであるマウスピースの吸い口部、２は吐出ヘッド（吐出手段）である。ここでは、吐出ヘッド２は、サーマルインクジェット方式を利用して液滴を吐出させる１または２以上のオリフィスを備えている。もちろん、吐出ヘッド２は、ヒーター、圧電素子などを備えるインクジェット方式のインクジェットヘッドや吸入装置の分野で用いられる多数の孔の開いたメッシュ構造膜を備える液体吐出ヘッドを用いることができる。
【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
長い棒状の折り曲げられない調理素材を、調理初期に立てたままで収納する鍋であって、
深さが、前記調理素材の長さよりも深く、
内径が、底部から上方に向かうに従い次第に細くなった後、もっとも細い部分から上方に行くに従い次第に広くなっている、
鍋。
【請求項２】
請求項１に記載された鍋であって、もっとも細い部分の内径が、これより下方にあるもっとも広い部分の内径の６０％以下である、鍋。
【請求項３】
請求項１又は２に記載された鍋であって、鍋の重心点から垂直に伸びる線と手でつかむ支点から水平に伸びる線が交わる点を交点としたとき、鍋の側面部を細くした部分に取っ手を付けた、鍋。
【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
遊技者が所定の遊技を行うことが可能な遊技機であって、
遊技の進行を制御し、入賞を検出すると賞球個数を示す払出制御コマンドを送信する遊技制御手段と、
前記遊技制御手段からの払出制御コマンドの受信にもとづいて賞球払出を行う払出制御手段と、
所定電位電源の電圧低下を検出して検出信号を出力する電源監視手段とを備え、
前記遊技制御手段は、
遊技機に対する電源が断しても内容が保存される遊技制御用バックアップＲＡＭ領域と、
前記電源監視手段からの検出信号に応じて、前記遊技制御用バックアップＲＡＭ領域にデータが保存されていることを示すバックアップデータを前記遊技制御用バックアップＲＡＭ領域に格納するとともに、前記遊技制御用バックアップＲＡＭ領域のデータにもとづく演算によりチェックデータを生成し、生成したチェックデータを前記遊技制御用バックアップＲＡＭ領域に格納する遊技制御側電源断時処理を実行する遊技制御側電源断時処理実行手段とを含み、
前記払出制御手段は、
遊技機に対する電源が断しても内容が保存される払出制御用バックアップＲＡＭ領域と、
前記電源監視手段からの検出信号に応じて、前記払出制御用バックアップＲＡＭ領域のデータを保存するための払出制御側電源断時処理を実行する払出制御側電源断時処理実行手段とを含み、
前記電源監視手段からの検出信号が出力されたときに、前記払出制御側電源断時処理実行手段の処理開始時期を、前記遊技制御側電源断時処理実行手段の処理開始時期よりも遅らせる遅延手段を備え、
前記遊技制御手段は、遊技機に対する電力供給が開始されたときに、前記バックアップデータが前記遊技制御用バックアップＲＡＭ領域に保存されていたことを条件に、前記チェックデータにもとづいて前記遊技制御用バックアップＲＡＭ領域の記憶内容が正常か否かの判定を実行し、該判定により前記遊技制御用バックアップＲＡＭ領域の記憶内容が正常であると判定したら、制御状態を電源断時の状態に戻すための遊技状態復旧処理を行う
ことを特徴とする遊技機。
【手続補正２】
【補正対象書類名】明細書
【補正対象項目名】００１５
【補正方法】変更
【補正の内容】
【００１５】
そこで、本発明は、複数の電気部品制御基板を備えた構成において、各電気部品制御基板の立ち下げの順序を合理的に管理できる遊技機を提供することを目的とする。
【手続補正３】
【補正対象書類名】明細書
【補正対象項目名】００１６
【補正方法】変更
【補正の内容】
【００１６】
本発明による遊技機は、遊技者が所定の遊技を行うことが可能な遊技機であって、遊技の進行を制御し、入賞を検出すると賞球個数を示す払出制御コマンドを送信する遊技制御手段と、遊技制御手段からの払出制御コマンドの受信にもとづいて賞球払出を行う払出制御手段と、所定電位電源の電圧低下を検出して検出信号を出力する電源監視手段とを備え、遊技制御手段は、遊技機に対する電源が断しても内容が保存される遊技制御用バックアップＲＡＭ領域と、電源監視手段からの検出信号に応じて、遊技制御用バックアップＲＡＭ領域にデータが保存されていることを示すバックアップデータを遊技制御用バックアップＲＡＭ領域に格納するとともに、遊技制御用バックアップＲＡＭ領域のデータにもとづく演算によりチェックデータを生成し、生成したチェックデータを遊技制御用バックアップＲＡＭ領域に格納する遊技制御側電源断時処理を実行する遊技制御側電源断時処理実行手段とを含み、払出制御手段は、遊技機に対する電源が断しても内容が保存される払出制御用バックアップＲＡＭ領域と、電源監視手段からの検出信号に応じて、払出制御用バックアップＲＡＭ領域のデータを保存するための払出制御側電源断時処理を実行する払出制御側電源断時処理実行手段とを含み、電源監視手段からの検出信号が出力されたときに、払出制御側電源断時処理実行手段の処理開始時期を、遊技制御側電源断時処理実行手段の処理開始時期よりも遅らせる遅延手段を備え、遊技制御手段は、遊技機に対する電力供給が開始されたときに、バックアップデータが遊技制御用バックアップＲＡＭ領域に保存されていたことを条件に、チェックデータにもとづいて遊技制御用バックアップＲＡＭ領域の記憶内容が正常か否かの判定を実行し、該判定により遊技制御用バックアップＲＡＭ領域の記憶内容が正常であると判定したら、制御状態を電源断時の状態に戻すための遊技状態復旧処理を行うことを特徴とする。
【手続補正４】
【補正対象書類名】明細書
【補正対象項目名】００２５
【補正方法】変更
【補正の内容】
【００２５】
本発明によれば、遊技制御手段からの払出制御コマンドが受信側の払出制御手段で受信できないという事態は生じない効果がある。
【手続補正書】
【提出日】平成20年1月30日(2008.1.30)
【手続補正１】
【補正対象書類名】特許請求の範囲
【補正対象項目名】全文
【補正方法】変更
【補正の内容】
【特許請求の範囲】
【請求項１】
長尺印刷モードの場合に、ページ間の境界において前後のページの画像が連続するか否かを判定し、
上記判定により、ページ間の境界において前後のページの画像が連続すると判定された場合、ページ間の境界において連続してハーフトーン処理を実行し、ページ間の境界において前後のページの画像が連続しないと判定された場合、その境界の後のページの先頭から改めてハーフトーン処理を開始するハーフトーン手段と、
上記ハーフトーン手段のハーフトーン処理により生成される印字ドットパターンを用いて、プリンタの印刷の制御に使用される印刷制御データを生成する印刷制御データ生成手段と、
を備えることを特徴とする印刷制御データ生成装置。
【請求項２】
前記判定は、ページ間の境界に余白が設けられている場合、ページ間の境界において前後のページの画像が連続しないと判定することを特徴とする請求項１記載の印刷制御データ生成装置。
【請求項３】
前記判定は、ページ間の境界に余白が設けられていない場合、ページ間の境界において前後のページの画像が複数ページに跨るパノラマ画像であるか否かに基づいて、ページ間の境界において前後のページの画像が連続するか否かを判定することを特徴とする請求項２記載の印刷制御データ生成装置。
【請求項４】
前記判定は、ユーザにより設定された印刷条件に基づいて、ページ間の境界において前後のページの画像が連続するか否かを判定することを特徴とする請求項１記載の印刷制御データ生成装置。
【請求項５】
前記判定は、画像が複数ページに跨るパノラマ画像である場合、ページ間の境界において前後のページの画像が連続すると判定することを特徴とする請求項１記載の印刷制御データ生成装置。
【請求項６】
前記判定は、その判定において、ユーザ選択と、連続性の判定結果とが合致するか否かを判定することを特徴とする請求項２、３及び５のいずれか１項記載の印刷制御データ生成装置。
【請求項７】
前記ハーフトーン手段は、長尺印刷モードでページ間の境界において前後のページの画像が連続する場合、ページ間の境界において誤差バッファをリセットせずに誤差拡散法によるハーフトーン処理を実行し、長尺印刷モードでページ間の境界において前後のページの画像が連続しない場合、その境界で誤差バッファをリセットし後のページに対する誤差拡散法によるハーフトーン処理を実行することを特徴とする請求項１から５のいずれか1項記載の印刷制御データ生成装置。
【請求項８】
ページ間の境界を特定するステップと、
長尺印刷モードにおいて、ページ間の境界において前後のページの画像が連続する場合、ページ間の境界において連続してハーフトーン処理を実行しページ間の境界において前後のページの画像が連続しない場合、その境界の後のページの先頭から改めてハーフトーン処理を開始するステップと、を備えることを特徴とする印刷制御データ生成装置。
【手続補正書】
【提出日】平成20年2月6日(2008.2.6)
【手続補正１】
【補正対象書類名】特許請求の範囲
【補正対象項目名】全文
【補正方法】変更
【補正の内容】
【特許請求の範囲】
【請求項１】
補助ハンドル付き回転駆動の手工具であって、その中段に伝動歯車セットを設け、本体の一端に歯車セット駆動の主軸を設けて、主軸により設置された工具又はバイトを駆動し、手動で駆動する往復操作式ハンドルは伝動歯車箱に設け、中段は必要に応じて放射方向に延ばす横向き補助ハンドルを取り付け、胴部に主軸を取り付けていない一端は必要に応じて軸方向補助ハンドルを取り付け、前記横向き補助ハンドル及び軸方向補助ハンドルは原則として両方のうち一種を取り付けるか、又は両方とも取り付け、横向き補助ハンドルと往復操作式ハンドルの取り付け角度は必要に応じて選定するか、又は調整可能に加工し、前記特定構造により手動操作でもって方向伝動装置により歯車セットを伝動し、主軸を駆動して回転させ、一定の速度比、又は加速、減速、もしくは可変速度、あるいは方向変更可能な伝動歯車セットを介して主軸を駆動し、並びに接続されたチャックに取り付けた工具を回転させ、手動による穴加工、ねじ、ナット、木製ねじのねじ込みもしくは緩める効果を果たすことを特徴とする補助ハンドル付き回転駆動の手工具。
【請求項２】
方向駆動裝置（１０９）は、往復操作式ハンドル（１０６）と伝動歯車セット（１０７）との間に設け、往復操作式ハンドル（１０６）の操作エネルギーを伝動歯車セット（１０７）に伝えて、他方向に操作するときに無負荷となり、その伝動方向と無負荷駆動方向は固定方向であり、又は必要に応じて駆動方向切換可能な方向駆動裝置（１０９'）を増設してもよく、操作方向切換可能な方向駆動裝置（１０９'）は駆動方向切換可能であり、又は駆動方向切換可能及び中間位置に切り換えるとき、双方向に駆動可能であることを特徴とする請求項１記載の補助ハンドル付き回転駆動の手工具。
【請求項３】
伝動歯車セット（１０７）は、伝統の遊星式又は平行式歯車セットより構成し、主軸及びチャックを駆動し、伝動歯車セットは等速比、増速比、減速比などの一定速度比の外部伝動加速歯車セット、外部伝動減速歯車セット、外部伝動等速歯車セット、内部伝動加速歯車セット、内部伝動減速歯車セット、遊星歯車組又はその他慣用の伝動機構より構成するものであることを特徴とする請求項１記載の補助ハンドル付き回転駆動の手工具。
【請求項４】
伝動歯車セット（１０７）は、必要に応じて速度比切換可能であり、又は出力方向切換可能なものを選択可能であることを特徴とする請求項１記載の補助ハンドル付き回転駆動の手工具。
【請求項５】
軸方向補助ハンドル（１０３）の回転手工具が必要であるとき、軸方向補助ハンドル（１０３）を取り付けて、手に握らせるか、又は軸方向に圧力を加えることを特徴とする請求項１記載の補助ハンドル付き回転駆動の手工具。
【手続補正書】
【提出日】平成20年1月30日(2008.1.30)
【手続補正１】
【補正対象書類名】特許請求の範囲
【補正対象項目名】全文
【補正方法】変更
【補正の内容】
【特許請求の範囲】
【請求項１】
記録媒体を搬送する記録媒体搬送手段と、該記録媒体搬送手段によって搬送される前記記録媒体にノズルからインク滴を吐出して記録を行う記録ヘッドとを備えたインクジェット記録装置であって、
前記記録ヘッドは、
複数の前記ノズルが配列形成されて、当該ノズルの配列方向に複数配置されたヘッドユニットと、
それぞれのヘッドユニットの前記ノズル配列方向の端部に設けられた腕部と、
当該腕部を介して前記ヘッドユニットと固定された支持枠と、
当該支持枠に設けられた位置決め基準部と、
平面視で前記腕部から前記支持枠に向けて突出して、前記位置決め基準部に当接された突出部と、
が備えられたことを特徴とするインクジェット記録装置。
【請求項２】
前記突出部は、軸部の一端部に平面視で当該軸部より大きい外周を有する頭部を前記軸部に対して偏芯させて、平面視で前記頭部が前記腕部から前記支持枠に向けて突出した偏芯部材からなり、
当該偏芯部材の前記軸部を中心に回転可能に配設し、前記頭部の前記腕部から前記支持枠に向けて突出された突出量が調整されることを特徴とする請求項１に記載のインクジェット記録装置。
【請求項３】
前記ヘッドユニットには、少なくとも３個の前記偏芯部材が、該偏芯部材のそれぞれの前記突出量を調整可能に配設されていることを特徴とする請求項２に記載のインクジェット記録装置。
【手続補正書】
【提出日】平成19年12月5日(2007.12.5)
【手続補正１】
【補正対象書類名】明細書
【補正対象項目名】００４４
【補正方法】変更
【補正の内容】
【００４４】
ウレタン系塗料の例としては、ポリエステルポリオールを黄変型ポリイソシアネートまたは無黄変型ポリイソシアネートで架橋反応させるものが挙げられる。架橋剤の例としては、イソホロンジイソシアネート(IPDI)、ヘキサメチレンジイソシアネート(HMDI)等が使用できる。この場合も、ジブチル錫ジラウレート(DBTDL)等の触媒を適宜使用してもよい。
【手続補正書】
【提出日】平成20年1月16日(2008.1.16)
【手続補正１】
【補正対象書類名】特許請求の範囲
【補正対象項目名】全文
【補正方法】変更
【補正の内容】
【特許請求の範囲】
【請求項１】
内部視認可能な基板ボックスに制御回路基板を収容するとともに、前記制御回路基板上に、接続ピンを半田付けすることでコネクタ部材を固定し、更に該コネクタ部材を前記基板ボックスに設けた開口部より露出させて他の電気部品と接続可能とした遊技機において、
前記制御回路基板と前記コネクタ部材との間に、前記基板ボックスの開口部から前記制御回路基板が露出されないようにして透明体よりなる介在部材を介在させる一方、該介在部材と前記制御回路基板との間に、少なくとも前記接続ピンの基板接続部を囲むようにしてこれら介在部材と制御回路基板を離間させる空間部を形成したことを特徴とする遊技機。
【請求項２】
内部視認可能な基板ボックスに制御回路基板を収容するとともに、前記制御回路基板上に、接続ピンを半田付けすることでコネクタ部材を固定し、更に該コネクタ部材を前記基板ボックスに設けた開口部より露出させて他の電気部品と接続可能とした遊技機において、
前記制御回路基板と前記コネクタ部材との間に、前記基板ボックスの開口部から前記制御回路基板が露出されないようにして介在部材を介在させる一方、該介在部材と前記制御回路基板との間に、少なくとも前記接続ピンの基板接続部を囲むようにしてこれら介在部材と制御回路基板を離間させる空間部を形成したことを特徴とする遊技機。
【請求項３】
前記介在部材は、前記基板ボックスの開口部を塞ぐに足りる大きさを有し、かつ前記コネクタ部材の接続ピンを挿通するに足りる大きさのピン挿通部が形成されてなることを特徴とする請求項１又は２に記載の遊技機。
【請求項４】
前記ピン挿通部を前記コネクタ部材の底面部よりも小さくし、該コネクタ部材の底面部を前記介在部材に当接させたことを特徴とする請求項３に記載の遊技機。
【請求項５】
前記基板ボックスにおける前記開口部の周縁部分を前記介在部材に当接させたことを特徴とする請求項１乃至４のいずれかに記載の遊技機。
【請求項６】
前記基板ボックスに、前記開口部の周縁部分を前記介在部材側に折り曲げ形成して周壁部とするとともに、前記介在部材に、前記基板ボックス内部で前記周壁部を囲むようにして折り返し部を設けたことを特徴とする請求項１乃至５のいずれかに記載の遊技機。